(57)【要約】【課題】コンピュータから出力される輝度信号を定量的かつ自動的に検査する。【解決手段】このディスプレイ輝度出力検査システムの輝度テスト装置１０１は、コンピュータ１０２から通信ケーブル１０５を通じて輝度レベルを受信する通信Ｉ／Ｆ３２と、コンピュータ１０２から二股ケーブル１０４を通じて複数（３つ）の輝度信号を受信する通信Ｉ／Ｆ３１と、通信Ｉ／Ｆ３２で受信された輝度レベルをキーにしてメモリ３３の輝度基準パターンテーブル４０を参照してＢＲＴ信号の基準パターンを求め、通信Ｉ／Ｆ３１で受信された３つの輝度信号から読み取った輝度レベルのパターンと、求めた輝度信号の基準パターンとを比較し、それぞれの輝度信号の合否を判定し、その判定結果を通信ケーブル１０５を通じてコンピュータ１０２へ送信するＣＰＵ３５とを具備する。【選択図】図１
2005191855.tif 000002
【特許請求の範囲】
【請求項１】
被検体から出力される複数の輝度信号の組み合わせ毎に設定された識別情報を受信する第１の受信手段と、
前記被検体から出力された複数の輝度信号を受信する第２の受信手段と、
前記複数の輝度信号の組み合わせ及び前記複数の輝度信号の組み合わせ毎に設定される識別情報を記憶した記憶部と、
前記第１の受信手段で受信された識別情報に基づいて、前記記憶部より該当する複数の輝度信号の組み合わせを読み出す手段と、
前記第２の受信手段により受信された複数の輝度信号の組み合わせと、前記記憶部から読み出した複数の輝度信号の組み合わせとを比較する比較手段と、
前記比較手段により比較された結果を出力する手段と
を具備したことを特徴とする検査装置。
【請求項２】
検査装置に処理を実行させるプログラムにおいて、
前記検査装置を、
被検体から出力される複数の輝度信号の組み合わせ毎に設定された識別情報を受信する第１の受信手段と、
前記被検体から出力された複数の輝度信号を受信する第２の受信手段と、
前記複数の輝度信号の組み合わせ及び前記複数の輝度信号の組み合わせ毎に設定される識別情報を記憶した記憶部と、
前記第１の受信手段で受信された識別情報に基づいて、前記記憶部より該当する複数の輝度信号の組み合わせを読み出す手段と、
前記第２の受信手段により受信された複数の輝度信号の組み合わせと、前記記憶部から読み出した複数の輝度信号の組み合わせとを比較する比較手段と、
前記比較手段により比較された結果を出力する手段
として機能させるプログラム。
【請求項３】
被検体から出力される複数の輝度信号を、通信手段、ＣＰＵ、メモリを有する検査装置で受信して検査する検査方法において、
前記被検体から出力される複数の輝度信号の組み合わせ毎に設定された識別情報を通信手段が受信するステップと、
前記通信手段で受信された識別情報に基づいて、前記複数の輝度信号の組み合わせ及び前記複数の輝度信号の組み合わせ毎に設定される識別情報を記憶したメモリより該当する輝度信号の組み合わせをＣＰＵが読み出すステップと、
前記被検体から出力された複数の輝度信号を前記通信手段が受信するステップと、
前記通信手段が受信した複数の輝度信号の組み合わせと前記メモリから読み出した複数の輝度信号の組み合わせとをＣＰＵが比較するステップと、
比較した結果をＣＰＵが出力するステップと
を有することを特徴とする検査方法。
【発明の詳細な説明】
【技術分野】
【０００１】
本発明は、例えばコンピュータなどの検査対象の機器（以下被検体と称す）から出力されるディスプレイ輝度出力を検査する検査装置、プログラム、検査方法に関する。
【背景技術】
【０００２】
従来から、コンピュータの量産製造ラインやコンピュータの試作品の性能検査を行う上では、さまざまな検査方法が試みられている。
近年、コンピュータの処理性能の向上は著しいものがあるが、これと共に表示性能も向上している。
【０００３】
例えば、コンピュータからＬＣＤなどへのディスプレイ出力インターフェースとして、例えばD-sub15ピンコネクタなどのアナログ出力インターフェース、DVI（Digital Visual Interface）コネクタなどのデジタル・ディスプレイ向けのデジタル伝送インターフェースなどがある。
このようなインターフェースから出力される信号を定量的に検査することは非常に難しく、従来は、コンピュータのインターフェースを表示確認用のディスプレイに実際に接続し、コンピュータにインストールされている検査プログラムを動作させてディスプレイに表示された表示パターンを検査員が目視で確認し良否を判断する方法がとられていた。
【０００４】
例えばディスプレイ出力の中でも階調値を検査することについては、表示用データに含まれている基準クロック信号に同期して表示用データに含まれているいずれかの検査対象データのデータ値をカウントし、このカウント値と検査画像についての検査用基準値とを比較し、互いが一致したときにそれを良品と判別する定量的な検査方法が既に提案されている（例えば特許文献１参照）。
【特許文献１】特開２００３−９１２６４号公報、段落番号［００２９］
【発明の開示】
【発明が解決しようとする課題】
【０００５】
上記検査方法は、階調値の検査については有効なもののそれ以外の表示検査、例えば輝度信号の検査には適用できず、目視検査など、人の目に頼るしかなかった。
【０００６】
しかしながら、このように検査を人の目に頼る場合、検査漏れ、見逃しなどを起こす恐れがあり、定量的な検査技術を構築することが望ましい。
【０００７】
本発明はこのような課題を解決するためになされたもので、コンピュータなどの被検体から出力される輝度信号を定量的にかつ自動的に検査することのできる検査装置、プログラム、検査方法を提供することを目的としている。
【課題を解決するための手段】
【０００８】
上記した課題を解決するために、本発明の検査装置は、被検体から出力される複数の輝度信号の組み合わせ毎に設定された識別情報を受信する第１の受信手段と、前記被検体から出力された複数の輝度信号を受信する第２の受信手段と、前記複数の輝度信号の組み合わせ及び前記複数の輝度信号の組み合わせ毎に設定される識別情報を記憶した記憶部と、前記第１の受信手段で受信された識別情報に基づいて、前記記憶部より該当する複数の輝度信号の組み合わせを読み出す手段と、前記第２の受信手段により受信された複数の輝度信号の組み合わせと、前記記憶部から読み出した複数の輝度信号の組み合わせとを比較する比較手段と、前記比較手段により比較された結果を出力する手段とを具備したことを特徴とする。
【０００９】
本発明のプログラムは、検査装置に処理を実行させるプログラムにおいて、被検体から出力される複数の輝度信号の組み合わせ毎に設定された識別情報を受信する第１の受信手段と、前記被検体から出力された複数の輝度信号を受信する第２の受信手段と、前記複数の輝度信号の組み合わせ及び前記複数の輝度信号の組み合わせ毎に設定される識別情報を記憶した記憶部と、前記第１の受信手段で受信された識別情報に基づいて、前記記憶部より該当する複数の輝度信号の組み合わせを読み出す手段と、前記第２の受信手段により受信された複数の輝度信号の組み合わせと、前記記憶部から読み出した複数の輝度信号の組み合わせとを比較する比較手段と、前記比較手段により比較された結果を出力する手段として機能させることを特徴とする。
【００１０】
本発明の検査方法は、被検体から出力される複数の輝度信号を、通信手段、ＣＰＵ、メモリを有する検査装置で受信して検査する検査方法において、前記被検体から出力される複数の輝度信号の組み合わせ毎に設定された識別情報を通信手段が受信するステップと、前記通信手段で受信された識別情報に基づいて、前記複数の輝度信号の組み合わせ及び前記複数の輝度信号の組み合わせ毎に設定される識別情報を記憶したメモリより該当する輝度信号の組み合わせをＣＰＵが読み出すステップと、前記被検体から出力された複数の輝度信号を前記通信手段が受信するステップと、前記通信手段が受信した複数の輝度信号の組み合わせと前記メモリから読み出した複数の輝度信号の組み合わせとをＣＰＵが比較するステップと、比較した結果をＣＰＵが出力するステップとを有することを特徴とする。
【００１１】
本発明では、被検体から出力される複数の輝度信号の組み合わせ毎に設定された識別情報を受信すると、ＣＰＵは、その識別情報を基に、メモリより該当する複数の輝度信号の組み合わせを読み出す。そして、被検体から出力された複数の輝度信号の組み合わせを受信すると、ＣＰＵは、受信した複数の輝度信号の組み合わせと、メモリから読み出した被度信号の組み合わせとを比較して、比較した結果を出力するので、検査員などによる目視検査に頼ることなく輝度信号を検査することができる。
【発明の効果】
【００１２】
以上説明したように本発明によれば、コンピュータなどの被検体から出力される輝度信号を定量的にかつ自動的に検査することができる。
【発明を実施するための最良の形態】
【００１３】
以下、本発明の実施の形態を図面を参照して詳細に説明する。
図１は本発明に係る一つの実施の形態のディスプレイ輝度出力検査システムの構成を示す図である。
同図に示すように、このディスプレイ輝度出力検査システムは、検査対象の機器（以下被検体と称す）であるコンピュータ１０２と、コンピュータ１０２のディスプレイインターフェースから出力される輝度信号をテストするディスプレイ輝度出力検査装置としての輝度テスト装置１０１と、輝度モニタ用の検査機器の一つの表示装置であるLiquid Crystal Display（以下ＬＣＤ１０３と称す）と、コンピュータ１０２のディスプレイインターフェースに一端が接続され、二股に分岐した他端がＬＣＤ１０３と輝度テスト装置１０１に接続された二股ケーブル１０４と、コンピュータ１０２の汎用通信インターフェースと輝度テスト装置１０１に設けられた同様の通信インターフェースとを一対一で接続する通信ケーブル１０５とから構成されている。汎用通信インターフェースは、例えばＵＳＢインターフェース、シリアル通信インターフェース、パラレル通信インターフェースなどである。通信ケーブル１０５は、第１通信線である。
【００１４】
二股ケーブル１０４は、入力端が１本、出力端が２本に分岐した第２通信線であり、コンピュータ１０２に二股ケーブル１０４の入力端が接続され、二股ケーブル１０４の各出力端は、ＬＣＤ１０３と輝度テスト装置１０１とに接続される。通信ケーブル１０５は、コンピュータ１０２と輝度テスト装置１０１に接続されている。この通信ケーブル１０５は、コンピュータ１０２と輝度テスト装置１０１間で通信を行うためのものであり、輝度テスト装置１０１で行った輝度レベルの検査結果が輝度テスト装置１０１からコンピュータ１０２へ送信される。
【００１５】
図２に示すように、二股ケーブル１０４は、輝度信号線ＢＲＴ１ ２０１、ＢＲＴ２ ２０２、ＢＲＴ３ ２０３などの３本の信号線からなる。それぞれの信号線は、途中で２つに分岐されている。輝度信号線ＢＲＴ１ ２０１は、輝度信号線ＢＲＴ１ａ ２０４と輝度信号線ＢＲＴ１ｂ ２０７とに分岐されている。輝度信号線ＢＲＴ２ ２０２は、輝度信号線ＢＲＴ２ａ ２０５と輝度信号線ＢＲＴ２ｂ ２０８とに分岐されている。輝度信号線ＢＲＴ３ ２０３は、輝度信号線ＢＲＴ３ａ ２０６と輝度信号線ＢＲＴ３ｂ ２０９とに分岐されている。輝度信号線ＢＲＴ１ａ ２０４、ＢＲＴ２ａ ２０５、ＢＲＴ３ａ ２０６はＬＣＤ１０３に接続される。輝度信号線ＢＲＴ１ｂ ２０７、ＢＲＴ２ｂ ２０８、ＢＲＴ３ｂ ２０９は輝度テスト装置１０１に接続される。
【００１６】
図３に示すように、輝度テスト装置１０１は、第２の受信手段として通信インターフェース３１（以下通信Ｉ／Ｆ３１と称す）と、第１の受信手段として通信インターフェース３２（以下通信Ｉ／Ｆ３２と称す）と、記憶部としてのメモリ３３と、操作表示部３４と、ＣＰＵ３５とを備えている。
通信Ｉ／Ｆ３１は、二股ケーブル１０４より入力（受信）される輝度信号をＣＰＵ３５へ伝送する。通信Ｉ／Ｆ３２は、コンピュータ１０２から送信された輝度レベルを通信ケーブル１０５を通じて受信する一方、ＣＰＵ３５による制御プログラムの処理実行結果を通信ケーブル１０５を通じてコンピュータ１０２へ送信する。
【００１７】
操作表示部３４は、この装置の電源のオン・オフ、コンピュータ１０２から入力される輝度信号の読み取り開始、中断、停止、リセットなどを指示するスイッチ部と、この装置の状況（テスト中、処理の進行状況など）を表示する表示部とを有している。
メモリ３３には、この装置の各部を制御する制御プログラムが記憶されている。制御プログラムは、この装置が起動する際にＣＰＵ３５により読み出される。メモリ３３は、ＣＰＵ３５が処理を実行する際の作業領域になる。
【００１８】
ＣＰＵ３５は、メモリ３３に記憶されている制御プログラムによる処理を実行する。つまり、ＣＰＵ３５は、制御プログラムによって動作することで、通信Ｉ／Ｆ３２で受信された輝度レベルを基にメモリ３３より該当基準パターン（複数の輝度信号の組み合わせ）を読み出す手段と、通信Ｉ／Ｆ３１で受信された複数の輝度信号から読み取った輝度信号のパターンと、メモリ３３から読み出した基準パターンとを比較して合否を判定する判定手段と、判定結果（比較結果）を出力する手段として機能する。
メモリ３３には、輝度基準パターンテーブル４０（図４参照）が記憶されている。このメモリ３３は、複数の輝度信号ＢＲＴ１、ＢＲＴ２、ＢＲＴ３の正しい入力の組み合わせを輝度レベル毎に基準パターンとして記憶した記憶手段として機能するものである。輝度レベルとは、基準パターンを示す識別情報である。
【００１９】
例えば図４に示すように、輝度基準パターンテーブル４０は、輝度レベル（レベル）「０」〜「４」の５つの基準パターンが記憶されている。レベル「０」の基準パターンは、輝度信号ＢＲＴ０が［０］、輝度信号ＢＲＴ１が［０］、輝度信号ＢＲＴ２が［０］という組み合わせである。レベル「１」の基準パターンは、輝度信号ＢＲＴ０が［０］、輝度信号ＢＲＴ１が［０］、輝度信号ＢＲＴ２が［１］という組み合わせである。レベル「２」の基準パターンは、輝度信号ＢＲＴ０が［０］、輝度信号ＢＲＴ１が［１］、輝度信号ＢＲＴ２が［０］という組み合わせである。レベル「３」の基準パターンは、輝度信号ＢＲＴ０が［０］、輝度信号ＢＲＴ１が［１］、輝度信号ＢＲＴ２が［１］という組み合わせである。レベル「４」の基準パターンは、輝度信号ＢＲＴ０が［１］、輝度信号ＢＲＴ１が［０］、輝度信号ＢＲＴ２が［０］という組み合わせである。
【００２０】
以下、図５、図６のフローチャートを参照してこのディスプレイ輝度出力検査システムの動作を説明する。図５はコンピュータ１０２の処理を示すフローチャート、図６は輝度テスト装置１０１の動作を示すフローチャートである。
このディスプレイ輝度出力検査システムでは、まず、被検体であるコンピュータ１０２に電源を投入して起動すると、ハードディスク装置にインストールされている検査用のプログラムが起動する。
【００２１】
図５に示すように、起動した検査用のプログラムは、まず、メモリに記憶されているディスプレイインターフェースから出力する輝度レベルを読み出して検査用のパラメータとして設定する（図５のＳ３０１）。輝度レベルとは複数の輝度信号のパターンを示す識別情報であり、プログラムは、検査の際にコンピュータ１０２から出力される予定の複数の輝度信号のパターン毎に設定された輝度レベルを読み出す。
パラメータとして設定される輝度レベルは、輝度基準パターンテーブル４０のレベル「０」〜レベル「４」のいずれか一つに該当するものであり、判定結果が受信される毎に順次設定を変更し、メモリに記憶されているすべてについて設定が行われる。
【００２２】
次に、プログラムは、設定した輝度レベルを通信ケーブル１０５を通じて輝度テスト装置１０１に送信する（Ｓ３０２）。
また、プログラムは、設定した輝度レベルに従って輝度信号を生成し、ディスプレイインターフェースより二股ケーブル１０４へ送信（出力）する（Ｓ３０３）。
その後、プログラムは、輝度テスト装置１０１により判定された結果を通信ケーブル１０５から受信するまで待機する（Ｓ３０４）。
【００２３】
輝度テスト装置１０１より判定結果を受信すると（Ｓ３０４のＹｅｓ）、プログラムは、受信した判定結果をメモリに保存（記憶）する（Ｓ３０５）。
【００２４】
続いて、プログラムは、検査する輝度レベルが残っているか否かを判定する（Ｓ３０６）。
そして、プログラムは、メモリに記憶されている輝度レベルをチェックし、検査する次の輝度レベルが存在する場合（Ｓ３０６のＮｏ）、プログラムは、Ｓ３０１の処理に戻り、メモリから該当輝度レベルを読み出して新たなパラメータとして設定し、以降の処理を繰り返し行う。
そして、検査する輝度レベルがメモリに残っていない場合、つまり検査する輝度レベルが終わった場合（Ｓ３０６のＹｅｓ）、プログラムは、メモリに記憶しておいた今までの検査結果を出力（送信）する（Ｓ３０７）。
【００２５】
出力先についてはさまざまに考えられる。
出力先を、例えば汎用通信インターフェースとした場合、すべての検査結果のデータが通信ケーブル１０５を通じて輝度テスト装置１０１へ送信されて操作表示部３４に表示される。
また、出力先をコンピュータ１０２のハードディスク装置とした場合、検査結果のデータは、該当記憶領域にファイルとして記憶される。出力先としては、この他、ＬＡＮ上の記憶装置などでもよい。
【００２６】
一方、輝度テスト装置１０１において、ＣＰＵ３５は、図６に示すように、コンピュータ１０２からの輝度レベルが通信ケーブル１０５、通信Ｉ／Ｆ３２を通じて受信されるのを待機している（Ｓ４０１）。
そして、コンピュータ１０２より送信された輝度レベルが通信ケーブル１０５を通じて通信Ｉ／Ｆ３２により受信されて（Ｓ４０１のＹｅｓ）、ＣＰＵ３５に渡されると、ＣＰＵ３５は、受信された輝度レベルをキーにしてメモリ３３に記憶されている輝度基準パターンテーブル４０を参照して該当するＢＲＴ信号のパターンを求める（Ｓ４０２）。
つまり、ＣＰＵ３５は、通信Ｉ／Ｆ３２で受信された輝度レベルを基にメモリより該当基準パターンを読み出す。
【００２７】
検査の開始と共に、ＣＰＵ３５は、二股ケーブル１０４の各輝度信号線ＢＲＴ１ｂ ２０７、ＢＲＴ２ｂ ２０８、ＢＲＴ３ｂ ２０９から通信Ｉ／Ｆ３１に受信された輝度信号を読み取る（Ｓ４０３）。
ＣＰＵ３５は、輝度信号線ＢＲＴ１ｂ ２０７、ＢＲＴ２ｂ ２０８、ＢＲＴ３ｂ ２０９よりの各輝度信号のレベル（例えば５Ｖの信号が入力されれば［１］、入力されなければ［０］など）と、通信ケーブル１０５を通じて通知された輝度レベルから求めたＢＲＴ信号の基準パターン（３つの［１］または［０］）とを比較し、それぞれが一致するか否か、つまり合否を判定する（Ｓ４０４）。
すなわち、ＣＰＵ３５は、二股ケーブル１０４を通じて通信Ｉ／Ｆ３１で受信された３つの輝度信号から読み取った輝度信号のパターンと、メモリから読み出した基準パターンとを比較して合否を判定する。
【００２８】
合否を判定すると、ＣＰＵ３５は、その判定結果を通信Ｉ／Ｆ３２、通信ケーブル１０５を通じてコンピュータ１０２へ送信する（Ｓ４０５）。
例えば輝度信号線ＢＲＴ１ｂ ２０７から入力された輝度信号のレベルが［０］、ＢＲＴ２ｂ ２０８から入力された輝度信号のレベルが［０］、ＢＲＴ３ｂ ２０９からり入力された輝度信号のレベルが［０］であった場合、ＣＰＵ３５は、これらの読み取り結果［０］、［０］、［０］と予め求めておいた輝度レベル［０］の基準パターン［０］、［０］、［０］とを比較する。そして一致していれば、合格としての判定結果を出力する。
その後、ＣＰＵ３５は、Ｓ４０１の処理に戻り、コンピュータ１０２より次の輝度レベルが受信されるのを待機する。
【００２９】
なお、コンピュータ１０２より二股ケーブル１０４へ出力された輝度信号は、輝度テスト装置１０１と共に、ＬＣＤ１０３にも入力され、パラメータの変更に従って実際の画面の輝度が変化するので、従来、検査員によってやられた通常の目視検査も同時に行える。また、ＬＣＤ１０３の輝度変化により輝度テスト装置１０１の動作状況も判る。
【００３０】
このようにこの実施形態のディスプレイ輝度出力検査システムによれば、検査の際に被検体(コンピュータ１０２)から出力される予定の複数の輝度信号のパターン毎に設定された識別情報(輝度レベル)を第１通信線(通信ケーブル１０５)を通じて受信する第１の受信手段(通信Ｉ/Ｆ３２)と、検査開始と共にコンピュータ１０２から出力された複数の輝度信号を第２通信線(二股ケーブル１０４)を通じて受信する第２の受信手段(通信Ｉ/Ｆ３１)と、複数の輝度信号の正しい入力の組み合わせを輝度レベル毎に基準パターンとして記憶した記憶部（メモリ３３）と、通信Ｉ/Ｆ３２で受信された輝度レベルを基にメモリ３３より該当基準パターンを読み出す手段(ＣＰＵ３５)と、通信Ｉ/Ｆ３１により受信された複数の輝度信号から読み取った輝度信号のパターンと、メモリ３３から読み出した基準パターンとを比較して合否を判定する判定手段(ＣＰＵ３５)と、判定手段により判定された結果を出力する手段(ＣＰＵ３５)とを備えたことで、コンピュータ１０２から出力される輝度信号を定量的にかつ自動的に検査することができる。
すなわち、検査員（人間）の主観的な検査だけでなく、コンピュータ１０２から輝度テスト装置１０１へ入力される輝度信号のレベルを、予め輝度テスト装置１０１に設定しておいた基準パターンと比較して合否を判定することで、コンピュータ１０２により生成される輝度信号の検査を自動化することができる。この検査では、輝度信号ラインのショートなどが判る他、輝度レベルを精密に測定することで、部品の誤配なども発見することができる。
また、従来、行われていた検査方法に、輝度テスト装置１０１と二股ケーブル１０４とを追加する形で機器を増設するので、コンピュータ１０１から出力される輝度信号をＬＣＤ１０３で従来どおりにモニタしながら検査でき、実際に設定した輝度レベルに対応した輝度信号が正して出ているかどうかや、輝度テスト装置１０１で検査が正常にできているかどうかといったこともチェックできる。
【００３１】
なお、本発明は、上記実施形態のみに限定されるものではない。
上記実施形態では、輝度テスト装置１０１に、二股ケーブル１０４より入力（受信）される輝度信号をＣＰＵ３５へ伝送する通信Ｉ／Ｆ３１と、コンピュータ１０２から送信された輝度レベルを通信ケーブル１０５を通じて受信する一方、ＣＰＵ３５による制御プログラムの処理実行結果を通信ケーブル１０５を通じてコンピュータ１０２へ送信する通信Ｉ／Ｆ３２とを設けたが、これら通信Ｉ／Ｆは一つ通信手段としても良い。
【図面の簡単な説明】
【００３２】
【図１】ディスプレイ輝度出力検査システムの全体構成を示す図。
【図２】ディスプレイ輝度出力検査システムに用いる二股ケーブルの輝度信号を示す図。
【図３】ディスプレイ輝度出力検査システムの輝度テスト装置の構成を示す図。
【図４】輝度基準パターンテーブルを示す図。
【図５】コンピュータにおける処理を示すフローチャート。
【図６】輝度テスト装置における処理を示すフローチャート。
【符号の説明】
【００３３】
３１…通信インターフェース（通信Ｉ／Ｆ）、３２…通信インターフェース（通信Ｉ／Ｆ）、３３…メモリ、３４…操作表示部、３５…ＣＰＵ、４０…輝度基準パターンテーブル、１０１…輝度テスト装置、１０２…コンピュータ、１０４…二股ケーブル、１０５…通信ケーブル、ＢＲＴ１…輝度信号線、ＢＲＴ１ａ…輝度信号線、ＢＲＴ１ｂ…各輝度信号線、ＢＲＴ１ｂ…輝度信号線、ＢＲＴ２…輝度信号線、ＢＲＴ２ａ…輝度信号線、ＢＲＴ２ｂ…輝度信号線、ＢＲＴ３…輝度信号線、ＢＲＴ３ａ…輝度信号線、ＢＲＴ３ｂ…輝度信号線。
【図１】
2005191855.tif 000003
【図２】
2005191855.tif 000004
【図３】
2005191855.tif 000005
【図４】
2005191855.tif 000006
【図５】
2005191855.tif 000007
【図６】
2005191855.tif 000008